(57)【要約】【課題】検出素子に対する検出対象の流入特性を向上させつつ、検出素子への接触対象の接触を防止することが可能となる防災機器を提供すること。【解決手段】外カバー１１と、検出対象の物理量を検出するためのサーミスタ１４と、サーミスタ１４を収容する保護部１２であり、外カバー１１に設けられている保護部１２であって、検出対象をサーミスタ１４に対して流入又は流出させる開口部１２２を有する保護部１２と、サーミスタ１４に対して接触対象が接触することを防止する防止部１３であって、開口部１２２に設けられている防止部１３と、を備え、防止部１３は、突起であり、また、防止部１３は、外カバー１１側から突出しており、防止部１３は、開口部１２２の縁部における中央寄りの位置に設けられており、防止部１３における外面は湾曲している。【選択図】図１
2020191000.tif 000002
【特許請求の範囲】
【請求項１】
外カバーと、
検出対象の物理量を検出するための検出素子と、
前記検出素子を収容する検出素子保護手段であり、前記外カバーに設けられている前記検出素子保護手段であって、前記検出対象を前記検出素子に対して流入又は流出させる開口部を有する前記検出素子保護手段と、
前記検出素子に対して接触対象が接触することを防止する防止手段であって、前記開口部に設けられている前記防止手段と、を備え、
前記防止手段は、突起である、
防災機器。
【請求項２】
前記防止手段は、前記外カバー側から突出している、
請求項１に記載の防災機器。
【請求項３】
前記防止手段は、前記開口部の縁部における中央寄りの位置に設けられている、
請求項１又は２に記載の防災機器。
【請求項４】
前記防止手段における外面は湾曲している、
請求項１から３の何れか一項に記載の防災機器。
【請求項５】
前記開口部は、複数個設けられており、
前記防止手段は、複数の前記開口部に対して少なくとも１個設けられている、
請求項１から４の何れか一項に記載に防災機器。
【請求項６】
前記防災機器は、少なくとも、熱感知器である、
請求項１から５の何れか一項に記載の防災機器。
【発明の詳細な説明】
【技術分野】
【０００１】
本発明は、防災機器に関する。
【背景技術】
【０００２】
従来、天井等に設置されて火災による熱を検出する感知器が知られていた（例えば、特許文献１参照）。この感知器は、プロテクタに収容されているサーミスタで温度を計測して熱を検出していた。
【先行技術文献】
【特許文献】
【０００３】
【特許文献１】特開２０１２−１９８７５７号公報
【発明の概要】
【発明が解決しようとする課題】
【０００４】
ところで、例えば、特許文献１の感知器を含めて、熱を検出する感知器については、一般的に、プロテクタに収容されているサーミスタへの熱気流の流入特性を向上させることが要望されていた。
【０００５】
しかしながら、当該要望に応えるためには、プロテクタの開口部を広げる必要があったが、開口部を広げすぎると、施工時に開口部を介してユーザの指が進入してしまいサーミスタを損傷させてしまう可能性があった。
【０００６】
本発明は上記問題に鑑みてなされたもので、検出素子に対する検出対象の流入特性を向上させつつ、検出素子への接触対象の接触を防止することが可能となる防災機器を提供することを目的とする。
【課題を解決するための手段】
【０００７】
上述した課題を解決し、目的を達成するために、請求項１に記載の防災機器は、外カバーと、検出対象の物理量を検出するための検出素子と、前記検出素子を収容する検出素子保護手段であり、前記外カバーに設けられている前記検出素子保護手段であって、前記検出対象を前記検出素子に対して流入又は流出させる開口部を有する前記検出素子保護手段と、前記検出素子に対して接触対象が接触することを防止する防止手段であって、前記開口部に設けられている前記防止手段と、を備え、前記防止手段は、突起である。
【０００８】
また、請求項２に記載の防災機器は、請求項１に記載の防災機器において、前記防止手段は、前記外カバー側から突出している。
【０００９】
また、請求項３に記載の防災機器は、請求項１又は２に記載の防災機器において、前記防止手段は、前記開口部の縁部における中央寄りの位置に設けられている。
【００１０】
また、請求項４に記載の防災機器は、請求項１から３の何れか一項に記載の防災機器において、前記防止手段における外面は湾曲している。
【００１１】
また、請求項５に記載の防災機器は、請求項１から４の何れか一項に記載に防災機器において、前記防止手段は、複数の前記開口部に対して少なくとも１個設けられている。
【００１２】
また、請求項６に記載の防災機器は、請求項１から５の何れか一項に記載の防災機器において、前記防災機器は、少なくとも、熱感知器である。
【発明の効果】
【００１３】
請求項１に記載の防災機器によれば、開口部に設けられている防止手段を備えており、当該防止手段は突起であることにより、例えば、開口部のサイズを比較的大きくした場合であっても、当該開口部を介して進入しようとする指に対して突起が当接することになるので、検出素子に対する検出対象の流入特性を向上させつつ、検出素子への接触対象の接触を防止することが可能となる。また、接触対象が検出素子等の内部構成部品に近接することによる静電気破壊を防止することが可能になる。
【００１４】
請求項２に記載の防災機器によれば、防止手段は外カバー側から突出していることにより、例えば、防止手段の周辺の強度を向上させることができるので、防止手段に対して接触対象が当接した場合に防止手段の周辺が破損することを防止することが可能となる。
【００１５】
請求項３に記載の防災機器によれば、防止手段は開口部の縁部における中央寄りの位置に設けられていることにより、例えば、接触対象の検出対象側への進入を確実に防止することができるので、検出素子への接触対象の接触を確実に防止することが可能となる。また、接触対象が検出素子等の内部構成部品に近接することによる静電気破壊を防止することが可能になる。
【００１６】
請求項４に記載の防災機器によれば、防止手段における外面は湾曲していることにより、例えば、接触対象が防止手段に当接した場合に当該接触対象側に痛覚を与えることを防止することが可能となる。また、例えば、防止手段の外面に沿って検出対象を流入させることができるので、検出対象の流入特性を向上させることが可能となる。また、例えば、防災機器全体において統一した印象を与えることができるので、防災機器の意匠性を向上させることが可能となる。
【００１７】
請求項５に記載の防災機器によれば、防止手段は、複数の開口部に対して少なくとも１個設けられていることにより、例えば、接触対象の検出素子側への進入を確実に防止することができるので、検出素子への接触対象の接触を確実に防止することが可能となる。また、接触対象が検出素子等の内部構成部品に近接することによる静電気破壊を防止することが可能になる。
【００１８】
請求項６に記載の防災機器によれば、防災機器は少なくとも熱感知器であることにより、例えば、検出素子に対する検出対象の流入特性を向上させつつ、検出素子への接触対象の接触を防止することができると共に、接触対象が検出素子を含む内部構成部品に近接することによる静電気破壊を防止することができる熱感知器を提供することが可能となる。
【図面の簡単な説明】
【００１９】
【図１】実施の形態における感知器の斜視図である。
【図２】感知器の平面図である。
【図３】感知器の側面図である。
【図４】図２のＡ‐Ａ断面図である。
【図５】図３の一部の拡大図である。
【図６】図４において光路を例示した図である。
【発明を実施するための形態】
【００２０】
以下に、本発明に係る防災機器の実施の形態を図面に基づいて詳細に説明する。なお、実施の形態によりこの発明が限定されるものではない。
【００２１】
〔実施の形態の基本的概念〕
まずは、実施の形態の基本的概念について説明する。実施の形態は、概略的に、防災機器に関するものである。
【００２２】
「防災機器」とは、防災のために用いられる機器であり、例えば、監視領域の異常を検出する機器等を含む概念であり、一例としては、熱感知器、火災感知器、ガス感知器、及び煙感知器等を含む概念である。また、「防災機器」とは、例えば、外カバー、検出素子、検出素子保護手段、及び防止手段を備える。
【００２３】
「監視領域」とは、防災機器による監視の対象となっている領域であり、具体的には、一定の広がりを持った空間であり、例えば、建築物の部屋（例えば、１階の部屋Ａ、１階の部屋Ｂ等）、廊下、階段等を含む概念である。また、「監視領域の異常」とは、監視領域の状態が通常とは異なっている状態であることであり、具体的には、火災発生、ガス漏れ等を含む概念である。
【００２４】
「外カバー」とは、例えば、防災機器の構成要素の少なくとも一部を覆うものである。
【００２５】
「検出素子」とは、例えば、検出対象の物理量を検出するための構成要素であり、一例としては、サーミスタの如き温度センサ、発光ダイオード及びフォトダイオード等にて構成される煙センサ、及びガスセンサ等を含む概念である。「検出対象の物理量」とは、例えば、監視領域の異常に起因して発生又は変化し得る量であり、一例としては、熱による温度、煙濃度、一酸化炭素ガス等の濃度等を含む概念である。ここで、「検出対象」とは例えば検出する物理量が熱（温度）である場合には熱気流、検出する物理量が煙濃度である場合には煙粒子を含む気流、検出する物理量がガス濃度、例えば一酸化炭素ガス濃度である場合には一酸化炭素ガスを含む気流、等を含む概念である。
【００２６】
「検出素子保護手段」とは、検出素子を収容するものであり、具体的には、外カバーに設けられているものであり、また、開口部を介して検出対象を検出素子に向けて流入又は流出させる開口部を有するもの等を含む概念である。具体的には例えば、熱感知器に設けた検出素子としてのサーミスタに向けて外部から熱気流を流入させると共にサーミスタ側から外部へ流出させつつサーミスタを保護するサーミスタガード、また例えば、開口である煙流入流出口を介して煙感知器に設けた煙センサとしての検煙部へ外部から煙粒子を含む気流を流入させると共に検煙部から外部へ流出させつつ検煙部を保護する煙センサガード部或いは煙センサ収容カバー部等を含む概念である。
【００２７】
「防止手段」とは、検出素子に対して接触対象が接触することを防止する手段であって、検出素子保護手段の開口部に設けられているものであり、具体的には、突起である。また、「防止手段」とは、例えば、外カバー側から突出しているもの等を含む概念であり、また、開口部の縁部における中央寄りの位置に設けられているもの等を含む概念であり、また、当該防止手段における外面は湾曲しているもの等を含む概念であり、また、複数の開口部に対して少なくとも１個設けられているもの等を含む概念である。
【００２８】
なお、「接触対象」とは、検出素子に対して接触することが防止手段によって防止される対象であり、例えば、ユーザの指等を含む概念である。
【００２９】
そして、以下に示す実施の形態では、「防災機器」が熱感知器である場合について説明する。
【００３０】
［実施の形態の具体的内容］
次に、実施の形態の具体的内容について説明する。
【００３１】
（構成−感知器）
まず、本実施の形態に係る感知器の構成について説明する。図１は、本発明の実施の形態における感知器の斜視図であり、図２は、感知器の平面図であり、図３は、感知器の側面図であり、図４は、図２のＡ‐Ａ断面図である。なお、各図では、Ｚ軸が垂直方向を示しており、Ｚ軸と直交するＸ軸及びＹ軸が水平方向を示していることとして説明する。各図の感知器１は、防災機器であり、具体的には、熱を検出する熱感知器であり、例えば、天井等の取付対象９００に対して図３の感知器１００の取付部１０１（詳細構造の図示は省略）を介して取り付けられるものであり、一例としては、図１の外カバー１１、保護部１２、防止部１３、図４のサーミスタ１４、発光部１５を備える。
【００３２】
（構成−感知器−外カバー）
図１の外カバー１１は、感知器１００の構成要素の少なくとも一部を覆うものである。この外カバー１１の具体的な種類や構成は任意であるが、例えば、図３に示すように、取付部１０１から離れても同径の円筒状の部分と、取付部１０１から離れるにつれて小径となるテーパー形状の部分とを備えるものであり、また、特記する部分を除いて遮光性を有するものであり、また、図２の導光部１１１を備えるものである。なお、「遮光性」とは、光を遮る性能であり、例えば、外カバー１１における内側から外側に対して光を通さない性能等を示す概念である。
【００３３】
導光部１１１とは、光を導いて発光する導光手段である。この導光部１１１の具体的な種類や構成は任意であるが、例えば、外カバー１１の一部に形成されているものであり、また、光を導いて発光するライトガイドとして機能するために任意の材料にて形成されるものであり、また、外カバー１１における遮光性を有する部分とは別体として形成されているものであり、また、外カバー１１における内側から外側に対して光を通すものである。また、導光部１１１は、例えば、外カバー１１の正面部側（−Ｚ方向）から外カバー１１の側面部側（＋Ｘ方向又は−Ｘ方向）にわたっているものであり、また、２個設けられているものであり、また、図２に示すように、直線形状のものである。
【００３４】
（構成−感知器−保護部）
図１の保護部１２は、前述の検出素子保護手段である。この保護部１２の具体的な種類や構成は任意であるが、例えば、外カバー１１の一部に形成されているものであり、また、光を導いて発光するライトガイドとして機能するために任意の材料にて形成されるものであり、また、外カバー１１における遮光性を有する部分とは別体として形成されているものであり、また、外カバー１１における内側から外側に対して光を通すものである。また、保護部１２は、例えば、図４のサーミスタ１４を保護する、所謂サーミスタガードであり、また、当該サーミスタ１４を収容するための中空部を有するものであり、外カバー１１から取付部１０１の反対側（−Ｚ方向）に向かって突出しているものであり、また、外カバー１１が広がっている方向（ＸＹ平面に平行な方向）において当該外カバー１１の中央に設けられているものであり、また、導光部１１１と一体的に形成されているものである。また、保護部１２は、例えば、図１のフレーム部１２１、開口部１２２、及び図４の分光部１２３を備えるものである。
【００３５】
図５は、図３の一部の拡大図である。図５に示すフレーム部１２１は、例えば、保護部１２の少なくとも一部の外形を形成す部分であり、また、感知器１００における先端部分（−Ｚ方向）を形成する１個の円形部材１２１Ａと、当該円形部材１２１Ａと外カバー１１との間において当該円形部材１２１Ａを支持している６個の支持部材１２１Ｂとを備える部分である。
【００３６】
開口部１２２は、例えば、保護部１２の中空部に設けられている図４のサーミスタ１４に対して熱気流を流入又は流出させる部分であり、また、前述のフレーム部１２１の６個の図５の支持部材１２１Ｂで区切られて６個設けられている部分である。
【００３７】
図４の分光部１２３は、例えば、発光部１５から出力される光を屈折、分散、又は反射させる部分であり、また、発光部１５と対向している部分である。
【００３８】
（構成−感知器−防止部）
図１の防止部１３は、保護部１２に収容されているサーミスタ１４に対して接触対象であるユーザの指が接触することを防止する防止手段である。この防止部１３の具体的な種類や構成は任意であるが、例えば、開口部１２２に設けられている突起であり、また、図５に示すように、外カバー１１側から突出しているものであり、また、開口部１２２の縁部における中央寄りの位置に設けられているものであり、また、図２に示すように、各開口部１２２に対して１個ずつ合計６個設けられているものである。また、図５の防止部１３の外面１３１は、湾曲しており、詳細には、外カバー１１が広がっている方向（ＸＹ平面に平行な方向）において感知器１の外側から内側に向かうにつれて、高さ方向（Ｚ軸方向）において円形部材１２１Ａ側（−Ｚ方向）に近付く（つまり、外カバー１１からの距離が離れる）ように、湾曲している。
【００３９】
なお、ここでの防止部１３及び開口部１２２の大きさは任意であるが、例えば、保護部１２の中空部のサーミスタ１４側に対する熱気流の流入及び流出を考慮しつつ、ユーザの指が開口部１２２を介して当該中空部に入り込んでサーミスタ１４に接触することが防止されるように決定することとする。なお、この場合、ユーザの指の大きさについては、予め定められた大きさを想定してもよいし、あるいは、所定のテストフィンガー（試験指）の大きさを想定してもよい。
【００４０】
（構成−感知器−サーミスタ）
図４のサーミスタ１４は、前述の検出素子である。このサーミスタ１４の具体的な種類や構成は任意であるが、例えば、熱又は熱気流による温度を検出するものであり、また、外カバー１１が広がっている方向に対して直交する方向（Ｚ軸方向）において突出しているものであり、保護部１２に収容されているものである。
【００４１】
（構成−感知器−発光部）
図４の発光部１５は、前述の発光手段である。この発光部１５の具体的な種類や構成は任意であるが、例えば、導光部１１１、及び保護部１２を発光させるものであり、また、分光部１２３に向かって光を出力するものであり、また、発光ダイオード等を用いて構成することができるものである。
【００４２】
（接触の防止）
次に、このように構成される感知器１００のサーミスタ１４に対するユーザの指の接触の防止について説明する。感知器１００の施工時等の任意のタイミングでユーザが感知器１００を手で持って作業を行うことが想定されるが、この場合、ユーザの指が図５の開口部１２２を介して保護部１２の中空部に入り込もうとした場合、開口部１２２に設けられている防止部１３に当接することになるので、当該ユーザの指が防止部１３によって止められて、サーミスタ１４に対して当該ユーザの指が接触することが防止される。従って、サーミスタ１４について接触による損傷を防止することが可能となる。また、当該ユーザの指がサーミスタに近接することによる静電気破壊を防止することが可能となる。
【００４３】
（発光）
次に、このように構成される感知器１００による発光について説明する。なお、感知器１００が発光するタイミングは任意であり、例えば、感知器１００の状態を報知する場合、あるいは、感知器１００がサーミスタ１４で検出した熱の温度に基づいて火災を判定した場合等の任意のタイミングが想定される。なお、感知器１００が火災を判定する処理は、従来と同様の処理を適用することができるので、その説明は省略する。図６は、図４において光路を例示した図である。
【００４４】
図６の感知器１００の不図示の制御部が発光部１５から光を出力する。この場合、当該発光部１５からの光は、分光部１２３にて屈折、分散、又は反射されて、図６に示すように、導光部１１１及び保護部１２全体に導光される。なお、図５では、説明の便宜上、図面左側の発光部１５からの光の光路のみが図示されているが、実際には、図面右側の発光部１５からも光が出力されて、導光部１１１及び保護部１２全体に導光されることになる。そして、図１の導光部１１１及び保護部１２全体が発光することになる。このように発光させることにより、感知器１００が設置されている部屋のあらゆる位置から、感知器１００の発光を視認することが可能となる。
【００４５】
（実施の形態の効果）
このように本実施の形態によれば、開口部１２２に設けられている防止部１３を備えており、当該防止部１３は突起であることにより、例えば、開口部１２２のサイズを比較的大きくした場合であっても、当該開口部１２２を介して進入しようとする指に対して突起が当接することになるので、サーミスタ１４に対する検出対象である熱気流の流入特性を向上させつつ、サーミスタ１４への接触対象であるユーザの指の接触を防止することが可能となる。また、当該ユーザの指がサーミスタ１４に近接することによる静電気破壊を防止することが可能となる。
【００４６】
また、防止部１３は外カバー１１側から突出していることにより、例えば、防止部１３の周辺の強度を向上させることができるので、防止部１３に対して接触対象が当接した場合に防止部１３の周辺が破損することを防止することが可能となる。
【００４７】
また、防止部１３は開口部１２２の縁部における中央寄りの位置に設けられていることにより、例えば、接触対象のサーミスタ１４側への進入を確実に防止することができるので、サーミスタ１４への接触対象の接触を確実に防止することが可能となる。また、例えばユーザの指がサーミスタ１４に近接することによる静電気破壊を防止することが可能になる。
【００４８】
また、防止部１３における外面１３１は湾曲していることにより、例えば、接触対象が防止部１３に当接した場合に当該接触対象である指のユーザ側に痛覚を与えることを防止することが可能となる。また、例えば、防止部１３の外面に沿って検出対象を流入させることができるので、検出対象の流入特性を向上させることが可能となる。また、例えば、感知器１００全体において統一した印象を与えることができるので、感知器１００の意匠性を向上させることが可能となる。
【００４９】
また、防止部１３は、複数の開口部１２２に対して少なくとも１個設けられていることにより、例えば、接触対象のサーミスタ１４側への進入を確実に防止することができるので、サーミスタ１４への接触対象の接触を確実に防止することが可能となる。また、例えばユーザの指がサーミスタ１４に近接することによる静電気破壊を防止することが可能になる。
【００５０】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５１】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００５２】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００５３】
（防止部について）
また、図２の防止部１３の構成を任意に変更してもよい。例えば、防止部１３を各開口部１２２に対して２個以上ずつ設けてもよいし、また、６個の開口部１２２のうちの一部のみの開口部１２２に対して防止部１３を設けてもよい。また、例えば、開口部１２２における防止部を設ける位置を任意に変更してもよく、一例としては、図５における円形部材１２１Ａ又は支持部材１２１Ｂに対して防止部１３を設けてもよい。
【００５４】
（特徴について）
また、上記実施の形態の構成、及び変形例の特徴を、任意に組み合わせてもよい。
【００５５】
（付記）
付記１の防災機器は、外カバーと、検出対象の物理量を検出するための検出素子と、前記検出素子を収容する検出素子保護手段であり、前記外カバーに設けられている前記検出素子保護手段であって、前記検出対象を前記検出素子に対して流入又は流出させる開口部を有する前記検出素子保護手段と、前記検出素子に対して接触対象が接触することを防止する防止手段であって、前記開口部に設けられている前記防止手段と、を備え、前記防止手段は、突起である。
【００５６】
付記２の防災機器は、付記１に記載の防災機器において、前記防止手段は、前記外カバー側から突出している。
【００５７】
付記３の防災機器は、付記１又は２に記載の防災機器において、前記防止手段は、前記開口部の縁部における中央寄りの位置に設けられている。
【００５８】
付記４の防災機器は、付記１から３の何れか一項に記載の防災機器において、前記防止手段における外面は湾曲している。
【００５９】
付記５の防災機器は、付記１から４の何れか一項に記載に防災機器において、前記防止手段は、複数の前記開口部に対して少なくとも１個設けられている。
【００６０】
付記６の防災機器は、付記１から５の何れか一項に記載の防災機器において、前記防災機器は、少なくとも、熱感知器である。
【００６１】
（付記の効果）
付記１に記載の防災機器によれば、開口部に設けられている防止手段を備えており、当該防止手段は突起であることにより、例えば、開口部のサイズを比較的大きくした場合であっても、当該開口部を介して進入しようとする指に対して突起が当接することになるので、検出素子に対する検出対象の流入特性を向上させつつ、検出素子への接触対象の接触を防止することが可能となる。また、接触対象が検出素子等の内部構成部品に近接することによる静電気破壊を防止することが可能になる。
【００６２】
付記２に記載の防災機器によれば、防止手段は外カバー側から突出していることにより、例えば、防止手段の周辺の強度を向上させることができるので、防止手段に対して接触対象が当接した場合に防止手段の周辺が破損することを防止することが可能となる。
【００６３】
付記３に記載の防災機器によれば、防止手段は開口部の縁部における中央寄りの位置に設けられていることにより、例えば、接触対象の検出素子側への進入を確実に防止することができるので、検出素子への接触対象の接触を確実に防止することが可能となる。また、接触対象が検出素子等の内部構成部品に近接することによる静電気破壊を防止することが可能になる。
【００６４】
付記４に記載の防災機器によれば、防止手段における外面は湾曲していることにより、例えば、接触対象が防止手段に当接した場合に当該接触対象側に痛覚を与えることを防止することが可能となる。また、例えば、防止手段の外面に沿って検出対象を流入させることができるので、検出対象の流入特性を向上させることが可能となる。また、例えば、防災機器全体において統一した印象を与えることができるので、防災機器の意匠性を向上させることが可能となる。
【００６５】
付記５に記載の防災機器によれば、防止手段は、複数の開口部に対して少なくとも１個設けられていることにより、例えば、接触対象の検出対象側への進入を確実に防止することができるので、検出素子への接触対象の接触を確実に防止することが可能となる。また、接触対象が検出素子等の内部構成部品に近接することによる静電気破壊を防止することが可能になる。
【００６６】
付記６に記載の防災機器によれば、防災機器は少なくとも熱感知器であることにより、例えば、検出素子に対する検出対象の流入特性を向上させつつ、検出素子への接触対象の接触を防止することができると共に、接触対象が検出素子を含む内部構成部品に近接することによる静電気破壊を防止することができる熱感知器を提供することが可能となる。
【符号の説明】
【００６７】
１１  外カバー
１２  保護部
１３    防止部
１４  サーミスタ
１５  発光部
１００  感知器
１０１  取付部
１１１  導光部
１２１  フレーム部
１２１Ａ  円形部材
１２１Ｂ  支持部材
１２２  開口部
１２３  分光部
１３１  外面
９００  取付対象
【図１】
2020191000.tif 000003
【図２】
2020191000.tif 000004
【図３】
2020191000.tif 000005
【図４】
2020191000.tif 000006
【図５】
2020191000.tif 000007
【図６】
2020191000.tif 000008